(57)【要約】  【課題】ケーキなどの生菓子を包装収納する保冷体収納ケース付き紙箱に於いて、該収納ケースを設けた紙面に発生する結露の防止し、厚みがあり、凍っていて形状の自由が利かず、挿入しずらい保冷体収納ケースを収納しやすくする。  【解決手段】完成済みの袋状又は筒状の保冷体収納ケースを、設けようとする紙面に該収納ケースの内部幅より狭い幅で固着する。  【選択図】  図１
0003128422.tif 000002
【実用新案登録請求の範囲】
【請求項１】
略四角形の箱内側の側板、及び又は天面に、柔軟性シート材からなる完成状態の筒状又は袋状の収納ケースを固着した事を特徴とする紙箱。
【請求項２】
請求項１に於いて、完成状態の筒状又は袋状の収納ケースを箱内側に固着するとき、該収納ケース内部幅より狭い幅で固着した事を特徴とする紙箱。
【考案の詳細な説明】
【技術分野】
【０００１】
本考案は、保冷体収納ケースを有したケーキ等の生菓子用紙箱に関する。
【背景技術】
【０００２】
低温度下で持ち運びする必要のあるケーキ等の生菓子類を収納する紙箱にあっては、生菓子類の悪化を防ぐため、アイスパック（水や保冷剤をプラスチックフィルムで密封包装したパック状のものを凍らせたもの）やドライアイスなどの保冷体を生菓子類と一緒に紙箱にする事は従来より行われており、保冷体を収納する収納ケースを箱内側のコーナー、側板、などに設けたりしている。最近では、紙箱内を効率的に冷やすために収納ケースを箱内側の天面に設ける工夫が出されている（特許文献１、２）。      
【特許文献１】特開２００４−３５９３１２号
【特許文献２】特開２００５−５３５３９号
【考案の開示】
【考案が解決しようとする課題】
【０００３】
上記収納ケースは、箱内側の天面に略四角形の柔軟性シートの周縁を接着する事で、筒状又は袋状の保冷体収納ケースにする方法で行われている。しかしながら、この方法では収納ケースとしての一面は箱の紙面を用いており、収納ケースを箱内側の側板であれ、天面であれ、保冷体が直接紙面に接するため、保冷体の接する紙面表裏は結露しやすい。結露は保冷体の接する紙面の箱外側にも発生し、特に収納ケースを箱内側の天面に設けた時には、外観上も見苦しく、手に触れやすく不快である。又、箱を大量生産する機械では柔軟性シートは接着する紙面に隙間無くピッタリと貼られるため、紙とシートの間に緩みがなく、厚みを持った保冷体を挿入しずらい。このことは、柔軟性シートは折り曲げに対しては柔軟であるが、一般的に伸びは少ないからである。大量生産される紙箱において、柔軟性シートの周縁を機械貼りする際に、シートと貼り付ける紙との間に緩みを持たせる事は大変難しく、シート周縁を貼った結果出現する、袋又は筒はピッタリと紙面に貼られ、厚みがありかつ凍っていて形が自由にならない保冷体を挿入しにくいのが一般的である。
【０００４】
即ち、本考案が解決しようとする課題は、保冷体収納ケースを箱内側の天面や側板に設けた時、該収納ケースを設けた紙面に結露を起こしにくくし、かつ保冷体を収納しない時は平らで邪魔にならず、保冷体を収納する時は十分な空間を確保出来る保冷体収納ケース付き紙箱を提供する事にある。
【課題を解決するための手段】
【０００５】
第一の課題解決手段は、略四角形の箱内側の側板、及び又は天面に、柔軟性シート材からなる完成状態の筒状又は袋状の収納ケースを固着した事を特徴とする紙箱とする。
【０００６】
第二の課題解決手段は、第一の課題解決手段に於いて、完成状態の筒状又は袋状の収納ケースを箱内側に固着するとき、該収納ケース内部幅より狭い幅で固着した事を特徴とする紙箱とする。
【考案の効果】
【０００７】
第一の課題解決手段による効果は次の通りである。即ち、従来の方法では収納ケースを設けようとする紙面に１枚の柔軟性シートの３方周縁又は相対する２方周縁を接着するだけであるため、収納した保冷体は直接紙面に触れ、その結果該紙面は結露し易かった。これに対して、本考案では、既に、袋状又は筒状に完成された収納ケースを該紙面に固着するのであり、保冷体を収納しても、該紙面に保冷体が直接触れる事はなく、結露は大幅に軽減される。
【０００８】
第二の課題解決手段によるによる効果は次の通りである。即ち、従来の柔軟シートの３方周縁部、又は相対する２方周縁を紙に固着する事で袋状、又は筒状の保冷体収納ケースとする方法では該シートの固着していない部分が収納部となるため、該シートのどこを紙と固着しようが、該シートを初めから弛ませて固着しない限り、出来た袋、又は筒状の収納ケースは緩みのないものしか出来なかった。これに反して初めから袋状又は筒状の収納ケースになったものを箱内側の側板や天面に固着する場合は、袋状、又は筒状収納ケースの内側幅より狭い範囲で固着すれば、重量及び体積のある保冷体を収納しない状態では、該収納ケースは平たくなっており場所をとらず、紙と該収納ケースとの固着が、該収納ケースの内部幅より狭くなっているため該収納ケースに紙との未固着分だけ緩みが発生し、収納ケースの開口部が大きく開き、保冷体の収納がたやすく出来る。
【考案を実施するための最良の形態】
【０００９】
以下本考案の実施形態を図面に基づき説明する。図５は本考案の紙箱の箱組み完成状態を示す斜視図である。図中、点線で示した部分は上蓋５の裏面（箱内側の天面）に固着されている保冷体収納ケースであり、詳細は後述する。
【００１０】
図１は図５に示す完成箱の展開図である。底板１、側板２、３、４、側板を兼ねたサイド蓋６、上蓋５等が１枚の紙で打ち抜かれた台紙Ｐ、及び上蓋５の内側面に保冷体収納ケースＳを固着した状態を示す。
【００１１】
保冷体収納ケースは、不織布、レーヨン、紙、プラスチックフィルムなどで、保冷体の重量と結露しても耐えられる柔軟性シートなら何でも使える。図９は本実施形態に於ける収納ケースＳの斜視図である。不織布を重ね合わせ、その周縁部３方３３、３４、３５を固着し、開口部３６を有する袋状収納ケースである。この収納ケースＳのサイド固着部３３、３５を除く部分（内側）が実際の収納に使える収納幅Ｌ２である。この袋状収納ケースＳを台紙Ｐの、上蓋５に図１に示す如く固着する。この時固着箇所３７（図１、４、５で示す斜点線部）の固着幅Ｌ１は収納ケースＳの収納幅Ｌ２の内側になるように固着する。この事により、収納ケースＳは、収納幅Ｌ２と収納ケース固着幅Ｌ１との差分だけ袋に緩みが発生する。本実施形態では収納ケースＳは３方周縁を固着した袋状ケースとしたが、使い方によっては、周縁部３４は閉じずに、筒状であっても問題はない。又、固着幅Ｌ１は固着箇所３７の中央部等に固着していない箇所があったとしても固着幅Ｌ１が保たれており、保冷体重量に耐えられる固着がなされていれば問題ない。
【００１２】
図２は、底板１の裏面に側板３、４の底フラップ１１、１２の糊代１３、１４を矢印の方向に固着する様子を示す。図３は糊代１３、１４が底板１裏面に固着され、折り畳まれた状態を示す。側板３、４の下に隠れた糊代部の折り畳まれ状態は点線で、固着された糊代部１３、１４は斜斜線で示す。蓋５及び保冷体収納ケースは図面の制約上、省略する。
この図３の状態で製品として出荷する。
【００１３】
側板３、４を左右に開きながら、側板を兼ねたサイド蓋６を前に引けば、図４に示す如く箱は起立し、ケーキ等を収納出来る準備が出来る。蓋５の天面には保冷体収納ケースＳが斜点線３７で示す範囲で固着されている。収納ケースＳの開口部３６から、保冷体Ｐを挿入する。ケーキを収納後、側板サイドフラップ９、１０を内側に入れて前板６を立ち上げ、側板上側フラップ７、８を内側に入れて上蓋５を閉め、該上蓋の差込突起１６を前板６と前板６に延設された前板フラップ１５との境に設けた切り込み１７に差し込んで、図５に示すように組み立て及び蓋閉めが終了する。尚、図５は上蓋５の裏面、即ち箱天面に固着された収納ケースＳを分かりやすくするため、保冷体を収納していない状態で、収納ケースＳを点線で、又該ケースと天面との固着状況を斜点線３７で示した。固着幅Ｌ１が収納ケースの収納幅Ｌ２の内側になっている様子も示した。
【００１４】
図６は、保冷体収納ケースＳに保冷体Ｐが収納された組み立て及び蓋締め状態（図５に於いて保冷体が収納された状態）の箱の横断面図を示す。収納ケースＳと上蓋５とを固着する固着層３７の固着幅Ｌ１は、収納ケースＳの収納幅Ｌ２より狭く、内側にあるため収納ケースを上蓋に固着するとき、緩み、撓みを持たせて固着する必要が無いことが分かるであろう。図７は、上記保冷体収納状態の縦断面を示す。収納ケースＳは袋状であり、開口部３６が片方にあるが、収納ケースは反対側にも開口部とする筒状であっても、問題はない。
【００１５】
図８は、収納ケースを側板に固着した場合を示す。ここでも収納ケースと側板との固着幅Ｌ１は収納ケースの収納幅Ｌ２より狭く、内側に入っていれば、上述した箱天面に収納ケースを固着した時と同じ効果が得られることが容易に理解できる。又、側板に収納ケースを設けたときは、収納ケースは筒状でも保冷体を安定収納出来るというメリットがある。
【００１６】
図９は収納ケースの斜視図である。長方形の柔軟性シートを二つ折りにして３方周縁を固着するか、帯状の２枚の柔軟性シートを重ね合わせて、３方周縁を固着し、上下を切断する事で得る事が出来る。固着周縁３４を非固着にすれば、筒状の収納ケースとなる。
【図面の簡単な説明】
【００１７】
【図１】箱Ｈの展開台紙Ｐの上蓋５に収納ケースＳを固着した平面図
【図２】折り畳み箱にするための底フラップ１１、１２の糊代１３、１４を底板１        に矢印の方向に固着しようとする斜視図
【図３】糊代１３、１４を底板１に固着後、側壁３、４を底板１の上に折り畳み、        出荷状態に箱が折り畳まれた状態を示す。側壁３、４の下になった部分は点線で、また底板１に固着された糊代１３、１４は斜点線で示した。尚、側壁を兼ねたサイド蓋６の下になっている上蓋５及び収納ケースの表示はここでは省略する。
【図４】組み立て途中斜視図
【図５】組み立て完成斜視図
【図６】保冷体収納状態組み立て完成箱の横断面図
【図７】保冷体収納状態組み立て完成箱の縦断面図
【図８】収納ケースを側壁に固着した場合の組み立て途中斜視図
【図９】収納ケースの斜視図
【符号の説明】
【００１８】
１              底板
２〜４          側板
５              上蓋
６              サイド蓋
７、８          側板上側フラップ
９、１０        側板サイドフラップ
１１、１２      底フラップ
１３、１４      糊代
１５            サイド蓋フラップ
１６            差込突起
１７            切り込み
１８〜３２      折り筋
３３〜３５      収納ケース周縁部
３６            収納ケース開口部
３７            収納ケースと台紙との固着部（斜点線）
Ｈ              完成箱
Ｐ              台紙
Ｓ              収納ケース
【図１】
0003128422.tif 000003
【図２】
0003128422.tif 000004
【図３】
0003128422.tif 000005
【図４】
0003128422.tif 000006
【図５】
0003128422.tif 000007
【図６】
0003128422.tif 000008
【図７】
0003128422.tif 000009
【図８】
0003128422.tif 000010
【図９】
0003128422.tif 000011